(57)【要約】【課題】良好なグレアカット性を有し、かつ生産性に優れた照明器具用フードを提供する。【解決手段】実施形態の一例である照明器具用フードは、軸方向両端が開口した筒状体であって、軸方向一端から径方向外側に張り出したフランジを有するフード本体と、フランジに取り付けられるパッキンとを備える。パッキンは、フード本体の筒内に延び、当該本体の内面を覆っている。【選択図】図３
2020004545.tif 000002
【特許請求の範囲】
【請求項１】
軸方向両端が開口した筒状体であって、軸方向一端から径方向外側に張り出したフランジを有するフード本体と、
前記フランジに取り付けられるパッキンと、
を備え、
前記パッキンは、前記フード本体の筒内に延び、当該本体の内面を覆っている、照明器具用フード。
【請求項２】
前記パッキンの可視光吸収率は、前記フード本体の可視光吸収率よりも高い、請求項１に記載の照明器具用フード。
【請求項３】
前記パッキンの色は黒色系である、請求項１または２に記載の照明器具用フード。
【請求項４】
前記パッキンは、前記フード本体の軸方向他端部に引っ掛けられている、請求項１〜３のいずれか１項に記載の照明器具用フード。
【請求項５】
請求項１〜４のいずれか１項に記載の照明器具用フードを備える、照明器具。
【発明の詳細な説明】
【技術分野】
【０００１】
本開示は、照明器具用フードおよび当該フードを備えた照明器具に関する。
【背景技術】
【０００２】
従来、商品、展示物、建築空間等の演出などを目的として、照明光を対象物に照射するスポットライトが広く知られている。例えば、特許文献１には、発光モジュール、レンズ、および筐体を有する器具本体と、筐体を回動可能に支持するアームとを備えたスポットライトが開示されている。また、特許文献２には、筒状のフードが器具本体に取り付けられ、フードのフランジにパッキンが貼り付けられた照明器具が開示されている。
【０００３】
図５は、従来の照明器具用フード１００を示す断面図である。照明器具用フード１００は、フランジ１０２を有する筒状のフード本体１０１と、フランジ１０２に取り付けられたパッキン１０３とを備える。パッキン１０３は、断面略Ｕ字状を呈するリング状の部材であって、フランジ１０２の先端部に取り付けられている。パッキン１０３は、照明器具用フード１００が照明器具に取り付けられたときに、フード本体１０１と器具の隙間を塞ぎ、当該隙間から光が漏れることを防止する。
【０００４】
照明器具用フード１００は、例えばスポットライトに取り付けられ、レンズを隠してグレアを低減する。また、フード本体１０１の内面には、黒色系の塗膜１０４が形成されている。黒色系の塗膜１０４は可視光を吸収し、フード本体１０１の内面の反射率を低くするため、塗膜１０４が形成された照明器具用フード１００は、良好なグレアカット性を有する。
【先行技術文献】
【特許文献】
【０００５】
【特許文献１】特開２０１５−１３５７７６号公報
【特許文献２】特開２０１１−１４２０１８号公報
【発明の概要】
【発明が解決しようとする課題】
【０００６】
ところで、照明器具用フードにおいて、良好なグレアカット性を維持しつつ、生産性を向上させて製品コストを削減することは重要な課題である。照明器具用フード１００は、上述の通り、良好なグレアカット性を有するが、フード本体１０１の内面に塗膜１０４を形成する必要があり生産性に課題がある。一般的に、フード本体１０１の外面には、白色などの照明器具の色に対応する色の塗膜を形成することが好ましいため、フード本体１０１は２色に塗り分ける必要がある。
【課題を解決するための手段】
【０００７】
本開示の一態様である照明器具用フードは、軸方向両端が開口した筒状体であって、軸方向一端から径方向外側に張り出したフランジを有するフード本体と、前記フランジに取り付けられるパッキンとを備える。前記パッキンは、前記フード本体の筒内に延び、当該本体の内面を覆っている。
【０００８】
本開示の一態様である照明器具は、上記照明器具用フードを備える。
【発明の効果】
【０００９】
本開示の一態様によれば、良好なグレアカット性を有し、かつ生産性に優れた照明器具用フードを提供できる。
【図面の簡単な説明】
【００１０】
【図１】実施形態の一例である照明器具の斜視図である。
【図２】実施形態の一例である照明器具の分解斜視図である。
【図３】実施形態の一例である照明器具用フードの斜視図である。
【図４】図３中のＡＡ線断面図である。
【図５】従来の照明器具用フードを示す断面図である。
【発明を実施するための形態】
【００１１】
以下、図面を参照しながら、本開示の実施形態の一例である照明器具用フード１３および当該フードを備えた照明器具１０について詳細に説明する。なお、本開示に係る照明器具用フードおよび照明器具は、以下で説明する実施形態に限定されない。
【００１２】
図１は照明器具１０の斜視図、図２は照明器具１０の分解斜視図である。図１および図２に例示するように、照明器具１０は、発光モジュール（図示せず）を有する器具本体１１、器具本体１１を支持するアーム１２、および器具本体１１に取り付けられる照明器具用フード１３（以下、「フード１３」とする）を備える。器具本体１１は、アーム１２によって回動可能に支持され、光の照射方向を変更可能である。即ち、照明器具１０は首振り機能を有する。照明器具１０は、商品、展示物、建築空間等の演出などを目的として、照明光を対象物に照射するスポットライトに好適である。
【００１３】
照明器具１０は、例えば図示しない固定部材を用いて天井に設置されたダクトレールに取り付けられる。詳しくは後述するが、フード１３を備えた照明器具１０は、優れたグレア低減機能を有する。フード１３は、軸方向両端が開口した円筒状部材である。照明器具１０は、例えば飲食店、デパート等の店舗、美術館、図書館、駅等の公共施設、オフィス、住居などの天井に取り付けられるが、壁面に取り付けることも可能である。
【００１４】
器具本体１１は、発光モジュール、レンズ２０、およびこれらを収容する筐体２１を有する。また、器具本体１１には、発光モジュールの光を反射してレンズ２０の入射面に導く反射部材が設けられていてもよい。筐体２１には、ケーブル１４が引き込まれている。ケーブル１４は、図示しない電源ユニットと発光モジュールを接続する。発光モジュールには、ケーブル１４を介して電源ユニットから直流電力が供給される。
【００１５】
発光モジュールは、例えば発光素子および基板を有する。発光素子の一例は、半導体発光素子であって、中でもＬＥＤ（Light Emitting Diode）が好ましい。発光モジュールには、複数のＬＥＤチップが基板上に実装されたＣＯＢ（Chip On Board）型のモジュールを用いることができる。発光モジュールは、基板が筐体２１にネジ止めされることにより、筐体２１の内部に固定されてもよい。或いは、筐体２１に固定されるホルダーによって発光モジュールが保持されてもよい。
【００１６】
レンズ２０は、発光モジュールから出射された光を制御する光学部材であって、筐体２１の内部において発光モジュールと対向する位置に取り付けられる。レンズ２０は、一般的に円盤状を呈し、透明な樹脂またはガラスで構成される。レンズ２０には、例えば光入射面に複数の同心円状の凸部を有するフレネルレンズが用いられる。レンズ２０は、筐体２１に直接固定されてもよく、筐体２１に固定される反射部材に取り付けられてもよい。
【００１７】
反射部材は、例えば軸方向両端が開口した筒状体であって、発光モジュール側の入射口よりもレンズ２０側の出射口の直径が大きく、出射口に向かって内径が次第に大きくなっている。反射部材は、白色顔料等の光の反射率が高いフィラーを含有する樹脂で構成されてもよく、少なくとも反射部材の内面が発光モジュールの光を反射する反射面として機能する。反射部材の内面には、白色顔料等のフィラーを含有する塗膜、蒸着、メッキ、スパッタリング等により成膜される金属層、無機化合物層などが形成されていてもよい。レンズ２０は、出射口を塞ぐように反射部材に取り付けられる。
【００１８】
筐体２１は、発光モジュール、反射部材、およびレンズ２０を収容する部材であって、発光モジュールで発生する熱を放散させるヒートシンクとして機能してもよい。筐体２１は、例えばアルミニウムを主成分とする金属で構成され、ダイカスト成形により製造される。筐体２１は、有底円筒形状の基部２２と、基部２２の底部外面から延出したアーム固定部２３とを有する。発光モジュール、反射部材、およびレンズ２０は、基部２２の筒内に収容されている。アーム固定部２３は、基部２２から離れるほど縮径した先細り形状を有する。
【００１９】
筐体２１（器具本体１１）は、アーム固定部２３に取り付けられるアーム１２によって回動可能に支持されている。アーム１２は、アーム固定部２３を径方向両側から挟むように二股に分岐した構造を有する。アーム１２の先端部には、ネジ付きシャフト２６が挿通される軸受け２５が形成されている。ネジ付きシャフト２６は、例えば筐体２１の内部に配置されるナット（図示せず）を用いてアーム固定部２３に固定される。筐体２１の回動に要するトルクは、ネジ付きシャフト２６およびナットの締結力により、またバネ座金等を用いて調整できる。
【００２０】
フード１３は、上述のように、器具本体１１に取り付けられ、レンズ２０を隠してグレアを低減するグレアカットフードである。また、フード１３を用いることで、横方向に拡散する光がカットされ集光性が向上する。フード１３は、筐体２１の基部２２に取り付けられる。基部２２の筒内において、レンズ２０は開口縁部２２ａから所定長さ内側に配置され、開口縁部２２ａとレンズ２０との間にフード１３の軸方向一端部を挿入可能なスペースが形成される。即ち、フード１３は、軸方向一端部が基部２２の筒内の当該スペースに挿入された状態で基部２２に取り付けられる。
【００２１】
フード１３は、筐体２１に対して着脱自在に取り付けられる。本実施形態では、固定バネ２４を用いてフード１３を基部２２に固定している。固定バネ２４には、基部２２の径方向に付勢力（弾性力）を加えるＣ字状のバネを用いることができる。フード１３は、例えば軸方向一端部を基部２２の筒内に挿入した後、固定バネ２４を当該筒内に嵌め込むことで筐体２１に装着される。固定バネ２４は、基部２２の内面に押し付けられ、フード１３のフランジ３２を押える。基部２２の内面には、フランジ３２が当接する段部が形成されていてもよい。なお、筐体２１に対するフード１３の取り付け構造はこれに限定されない。
【００２２】
以下、図３および図４をさらに参照しながら、フード１３の構成および作用効果について詳説する。図３はフード１３の斜視図、図４は図３中のＡＡ線断面図である。
【００２３】
図１〜図４に例示するように、フード１３は、軸方向両端が開口した筒状体であって、軸方向一端から径方向外側に張り出したフランジ３２を有するフード本体３０と、フランジ３２に取り付けられるパッキン３３とを備える。パッキン３３は、フード本体３０の筒内に延び、フード本体３０の内面３１ａを覆っている。フード１３は、フランジ３２が設けられた軸方向一端側を筐体２１の基部２２の筒内に挿入した状態で、固定バネ２４を用いて筐体２１に固定される。即ち、フード１３の軸方向一端側の開口が光の入射口となり、軸方向他端側の開口が光の出射口となる。
【００２４】
フード本体３０は、略円筒形状の筒壁３１と、筒壁３１の軸方向一端から外側に張り出したフランジ３２とを有する。筒壁３１およびフランジ３２の直径は、筐体２１の基部２２の内径よりも小さい。他方、筒壁３１の長さは特に限定されない。フード１３は、例えば筐体２１の長さの３０％〜１００％程度の長さを有する。筒壁３１は、軸方向一端から他端に向かって次第に縮径したテーパ状に形成されている。また、フランジ３２は筒壁３１の全周にわたって同じ幅で張り出している。なお、筒壁３１の形状はテーパ状に限定されず、全長にわたって直径が同じであってもよい。
【００２５】
フード本体３０は、例えばアルミニウムを主成分とする金属で構成され、金属板の絞り加工により製造される。筒壁３１にはデザイン面から凹凸加工等がなされてもよいが、筒壁３１の内面３１ａはパッキン３３によって覆われるので、グレアを低減するためのバッフル構造等を形成する必要はない。
【００２６】
筒壁３１の外面３１ｂには、筐体２１の色に対応する色の塗膜が形成されていてもよい。筐体２１が白色である場合、一般的に筒壁３１の外面３１ｂには白色の塗膜が形成される。一方、筐体２１が無塗装又は金属色である場合は、外面３１ｂは無塗装であってもよい。筒壁３１の内面３１ａはパッキン３３によって覆われるので、無塗装であってもよく、外面３１ｂと同じ白色であってもよい。つまり、フード１３では、従来のフード１００のように、フード本体３０を２色に塗り分ける必要がない。
【００２７】
パッキン３３は、フード本体３０に装着され、少なくともフランジ３２に引っ掛けられる略円筒状の部材である。パッキン３３は、両面テープまたは接着剤を用いて筒壁３１の内面３１ａに貼り付けられてもよい。パッキン３３は、従来のパッキン１０３と同様に、フランジ３２と筐体２１との隙間を塞ぎ、当該隙間から光が漏れることを防止する機能を有する。また、パッキン３３は、筐体２１に密着してフード１３のがたつきを防止する。
【００２８】
パッキン３３には、可撓性を有し、弾性変形可能な部材を用いることが好ましい。パッキン３３は、例えばスチレンブタジエンゴム、ブチルゴム、ニトリルゴム、ウレタンゴム、シリコーン、フッ素ゴム等のゴム、熱可塑性エラストマーなどで構成される。パッキン３３の厚みは、特に限定されないが、一例としては０．３ｍｍ〜１．５ｍｍ程度である。また、パッキン３３は可視光の吸収率が高い色材を含有する。本明細書において、可視光とは、波長３８０〜８００ｎｍの光を意味する。
【００２９】
パッキン３３の可視光吸収率は、フード本体３０の可視光吸収率よりも高いことが好ましい。この場合、例えばフード１３の内面に当たる光の大部分がパッキン３３によって吸収され、パッキン３３を透過せず、パッキン３３の表面で反射されないので、良好なグレアカット性が得られる。パッキン３３の可視光吸収率は、例えば可視光の全波長域において、７０％以上または８０％以上である。
【００３０】
パッキン３３の可視光吸収率Ａ（％）は、紫外・可視分光光度計を用いて、光透過率Ｔ（％）及び光反射率Ｒ（％）を測定し、次式により算出できる。
Ａ＝１００−Ｔ−Ｒ
【００３１】
パッキン３３の色は、黒色系であることが好ましい。黒色系とは、黒色および実質的に黒色と認められる色を意味する。この場合、パッキン３３に含有される色材としては、カーボンブラック、アニリンブラック、チタンブラック、非磁性フェライト、マグネタイト等の黒色顔料が例示できる。なお、黄色顔料や赤色顔料、青色顔料等を混合して、パッキン３３の色を黒色系に調整してもよい。色材の添加量は、例えばパッキン３３の体積に対して５〜５０体積％程度である。
【００３２】
パッキン３３は、上述のように、フード本体３０の筒内に延び、筒壁３１の内面３１ａを覆っている。これにより、従来のフード１００のように黒色系の塗膜１０４を形成しなくても、フード１３の内面の反射率を低く抑えることができ、優れたグレア低減効果が得られる。つまり、パッキン３３は、光漏れ防止用部材、兼グレア低減用部材である。
【００３３】
パッキン３３は、フード本体３０の形状に対応する形状を有し、筒壁３１の内面３１ａに密着した状態で装着される。パッキン３３のフード本体３０内に挿入される部分の直径は、筒壁３１の直径よりも小さい。パッキン３３は、フード本体３０と同様に、軸方向両端が開口した略円筒形状を有し、軸方向一端から他端に向かって次第に縮径したテーパ状に形成されている。
【００３４】
パッキン３３は、フード本体３０のフランジ３２に引っ掛けられる第１鉤部３４を有する。第１鉤部３４をフランジ３２の先端部に嵌め付けることで、フード本体３０に対してパッキン３３を安定に固定できる。第１鉤部３４は、パッキン３３の軸方向一端から径方向外側に張り出したフランジ状に形成され、その先端部がフランジ３２の先端部に引っ掛かるように断面略Ｕ字状に形成されている。第１鉤部３４は、パッキン３３の全周にわたって形成されることが好ましい。換言すると、パッキン３３の軸方向一端部には、フランジ３２の先端部が挿入可能な断面略Ｕ字状の溝が全周にわたって形成されている。
【００３５】
パッキン３３は、筒壁３１の内面３１ａの全域または略全域を覆うことが好ましい。即ち、パッキン３３は、内面３１ａの全域を覆うことが可能な寸法を有し、内面３１ａの全域を覆うようにフード本体３０に装着される。パッキン３３の軸方向長さは、フード本体３０の軸方向長さよりも長い。パッキン３３は、第１鉤部３４がフランジ３２に引っ掛けられた状態で、パッキン３３の軸方向他端が筒壁３１の軸方向他端を超える軸方向長さを有する。
【００３６】
また、パッキン３３は、フード本体３０の軸方向他端部に引っ掛けられている。パッキン３３は、筒壁３１の軸方向他端部に引っ掛けられる第２鉤部３５を有する。第２鉤部３５を設けてパッキン３３の軸方向他端部を筒壁３１に係止させることで、フード本体３０に対してパッキン３３をより安定に固定できる。第２鉤部３５は、パッキン３３の軸方向他端から径方向外側に張り出し、筒壁３１の軸方向他端を超えて外面３１ｂに引っ掛かるように断面略Ｌ字状に形成されている。第２鉤部３５は、パッキン３３の全周にわたって形成されることが好ましい。換言すると、パッキン３３の軸方向他端部には、筒壁３１の軸方向他端部が挿入可能な断面略Ｕ字状の溝が全周にわたって形成されている。
【００３７】
パッキン３３の表面には、グレアをさらに低減するための微細な凹凸が形成されていてもよい。微細な凹凸は、不規則な凹凸であってもよく、規則的な凹凸であってもよい。微細な凹凸は、フード１３の内側を向くパッキン３３の内面のみに形成されていてもよい。パッキン３３の表面には、シボ状の凹凸が形成されていてもよく、軸方向または周方向に沿った規則的な凹凸、段差、ないし溝からなる所謂バッフル構造が形成されていてもよい。このような微細な凹凸は、例えば表面が凹凸加工された金型を用いることで形成できる。好適なパッキン３３の一例は、表面に凹凸を有する黒色のパッキン（シリコーンゴム製のパッキン）である。
【００３８】
上記構成を備えたフード１３は、パッキン３３によってフード本体３０の内面３１ａが覆われているので、フード本体３０を２色に塗り分ける必要がなく、照明器具１０に優れたグレアカット機能を付与できる。即ち、フード１３は、生産性に優れ、かつ良好なグレアカット性を有する。
【００３９】
また、パッキン３３の柔軟性を利用して、第１鉤部３４をフランジ３２に、第２鉤部３５を筒壁３１の軸方向他端部にそれぞれ引っ掛けることで、両面テープや接着剤を使用しなくてもフード本体３０に対してパッキン３３をしっかり装着できる。さらに、パッキン３３の表面には、グレア低減用の凹凸を容易に形成できる。表面凹凸を有するパッキン３３を用いることで、グレアの低減効果がさらに向上する。
【００４０】
なお、上述の実施形態は、本開示の目的を損なわない範囲で適宜設計変更できる。例えば、上述の実施形態では、第１鉤部３４および第２鉤部３５を有するパッキン３３を例示したが、パッキンは第１鉤部３４および第２鉤部３５の少なくとも一方を有していなくてもよい。パッキンは、第１鉤部３４のみを有し、両面テープまたは接着剤を用いて筒壁３１の内面３１ａに固定されてもよい。
【符号の説明】
【００４１】
１０  照明器具、１１  器具本体、１２  アーム、１３  照明器具用フード（フード）、１４  ケーブル、２０  レンズ、２１  筐体、２２  基部、２２ａ  開口縁部、２３  アーム固定部、２４  固定バネ、２５  軸受け、２６  ネジ付きシャフト、３０  フード本体、３１  筒壁、３１ａ  内面、３１ｂ  外面、３２  フランジ、３３  パッキン、３４  第１鉤部、３５  第２鉤部
【図１】
2020004545.tif 000003
【図２】
2020004545.tif 000004
【図３】
2020004545.tif 000005
【図４】
2020004545.tif 000006
【図５】
2020004545.tif 000007